(57)【要約】【課題】高速記録に伴うインクジェット方式の記録ヘッドの高速駆動に対応するために強制的にインクを記録ヘッドに供給するインク供給部と、記録ヘッドに接続され、前記ノズルに負圧を安定して作用させるために記録ヘッドの内部を減圧状態とするファンと、を具えたインクジェット記録装置において、停電等によるファンの作動停止により記録ヘッドの内部が大気開放状態となり、ノズルからインクが漏洩する不都合を防止する。【解決手段】ファンの電源が遮断されたときにファンと記録ヘッドとの接続路を遮断するバルブを接続路に介挿する。このバルブは、通電時に接続路を開放し、非通電時に接続路を遮断する形態のものとする。これにより、ファンの作動が停止したときに記録ヘッドの内部は密閉状態となるので、インク漏洩を防止することができる。【選択図】図３
2013086353.tif 000002
【特許請求の範囲】
【請求項１】
インクを吐出するノズルを有する記録ヘッドを用いて記録を行うインクジェット記録装置であって、
前記記録ヘッドにインクを強制的に供給するインク供給部と、
前記記録ヘッドに接続され、前記ノズルに負圧を安定して作用させるために前記記録ヘッドの内部を減圧状態とするファンと、
該ファンと前記記録ヘッドとの接続路に介挿され、前記ファンの電源が遮断されたときに前記接続路を閉鎖するバルブと、
を具えたことを特徴とするインクジェット記録装置。
【請求項２】
前記バルブは、通電時に前記接続路を開放し、非通電時に前記接続路を閉鎖する形態のバルブであることを特徴とする請求項１に記載のインクジェット記録装置。
【発明の詳細な説明】
【技術分野】
【０００１】
本発明は、インクジェット記録装置に関し、特に高速記録に対応するべく記録ヘッドにインクを強制的に供給するとともに、記録ヘッド内のインク量によらず記録ヘッドのノズルに安定した負圧を作用させる構成を有するンクジェット記録装置に関するものである。
【背景技術】
【０００２】
従来のインクジェット記録装置として、相対的に装置の低位に配されたインクタンクと高位に配された記録ヘッドないしはノズルとの水頭差に対応した負圧をノズルに作用させ、その負圧によりノズルにインクのメニスカスが形成されるようにしたものがある。かかる装置では、インクがノズルから吐出された場合、ノズルの毛管力により記録ヘッドのインク貯留部からノズル内にインクが供給され、ひいてはインクタンクからインク貯留部内にインクが供給される（このような供給方式を以下では自然供給方式という）。しかしながら、近年では記録の一層の高速化や高精細化が求められている。そのために、記録ヘッドないしノズルを高速ないし高デューティで駆動した場合、自然供給方式によるものではインク供給が間に合わなくなることでノズルの吐出不良が生じ、記録品位を低下させてしまうことになる。また、インクを吐出するために利用されるエネルギとして熱エネルギを発生する素子がノズルに用いられている場合、インクがない状態で当該素子を駆動すると所謂空焚きが生じ、ノズルひいては記録ヘッドを破損させてしまう可能性がある。
【０００３】
そこで、自然供給方式に代わるものとして、供給ポンプ等により強制的にインクを記録ヘッドに送り込む方式（以下、強制供給方式という）が採用されることがある。さらにかかる強制供給方式に対応して、ノズルに安定した負圧を作用させるために、またポンプによるインクの強制供給によりノズルからインクが漏出してしまう不都合を防止するために、動的に負圧を制御する機構が提唱されている。かかる機構（以下、動的負圧制御機構という）としては、記録ヘッドの内部を所望の減圧状態に保つべく、記録ヘッドに連通して吸引力を作用させる吸引ファンを用いるものがある。
【０００４】
しかし強制供給方式および動的負圧制御機構を用いて記録の高速化を図る構成においては、停電や電源ケーブルの抜け等により不測の電源遮断があった場合、吸引ファンが突然停止して記録ヘッド内部が大気開放状態となり、インク漏洩が生じる可能性がある。そこで、例えば、特許文献１には、そのような電源遮断時にインク漏洩が生じないよう、インクのリターン経路を持たせたインクジェット記録装置が開示されている。すなわち、特許文献１に開示の技術では、インク循環させる経路とリターン経路とを設け、停電時にリターン経路へと繋がるバルブを開放することにより、インク漏洩を防止している。しかしながら、特許文献１に開示の技術では、インク流路が複雑になり、また停電時のみに作動する機構を有することになり、記録装置の高価格化および制御系の複雑化が生じるという問題がある。
【先行技術文献】
【特許文献】
【０００５】
【特許文献１】特開２００３−１９１４９８号公報
【発明の概要】
【発明が解決しようとする課題】
【０００６】
よって本発明は、高速記録に対応するべくインクの強制供給方式を採用する一方、動的負圧制御機構を採用するインクジェット記録装置において、電源遮断に伴う負圧発生機構の動作停止時にもインク漏洩が生じないようにする構成を提供することを目的とする。
【課題を解決するための手段】
【０００７】
そのために、本発明は、インクを吐出するノズルを有する記録ヘッドを用いて記録を行うインクジェット記録装置であって、前記記録ヘッドにインクを強制的に供給するインク供給部と、前記記録ヘッドに接続され、前記ノズルに負圧を安定して作用させるために前記記録ヘッドの内部を減圧状態とするファンと、該ファンと前記記録ヘッドとの接続路に介挿され、前記ファンの電源が遮断されたときに前記接続路を閉鎖するバルブと、
を具えたことを特徴とする。
【発明の効果】
【０００８】
本発明によれば、負圧制御機構を構成するファンの電源が遮断されたときにファンと記録ヘッドとの接続路を遮断するバルブが接続路に介挿される。これにより、ファンの作動が停止したときに記録ヘッドの内部は密閉状態となるので、インク漏洩を防止することができる。
【図面の簡単な説明】
【０００９】
【図１】本発明を適用可能なインクジェット記録装置の一実施形態を示す模式図である。
【図２】図１のインクジェット記録装置の制御系の構成例を示すブロック図である。
【図３】図１のインクジェット記録装置における各色インク系の構成を説明するための模式図である。
【図４】図１のインクジェット記録装置の印刷時における制御手順を示すフローチャートである。
【発明を実施するための形態】
【００１０】
以下、図面を参照して本発明の実施形態を詳細に説明する。
【００１１】
なお、本願明細書、特許請求の範囲、要約書および添付の図面において、「記録」（以下、「印刷」とも称する）とは、文字、図形等有意の情報を形成する場合のみを称するものではない。すなわち、有意無意を問わず、広く記録媒体上に画像、模様、パターン等を形成する、または媒体の加工を行う場合も表すものとする。また、人間が視覚で知覚し得るように顕在化したものであるか否かを問わない。
【００１２】
また、「記録媒体」とは、一般的な記録装置で用いられる紙のみならず、広く、布、プラスチック・フィルム、金属板、ガラス、セラミックス、木材、皮革等、インクを受容可能なものも表すものとする。また、「インク」とは、上記「記録」の定義と同様広く解釈されるべきもので、記録媒体上に付与されることによって、画像、模様、パターン等の形成または記録媒体の加工、或いはインクの処理に供され得る液体を表すものとする。インクの処理としては、例えば記録媒体に付与されるインク中の色剤の凝固または不溶化させることが挙げられる。
【００１３】
（機械的構成）
図１は、本発明を適用可能なインクジェット記録装置の一実施形態を示す模式図である。インクジェット記録装置（以下、プリンタとも言う）１０は、画像データの供給源をなす外部装置であるパーソナルコンピュータ形態のホスト装置２０１に接続されている。プリンタ１０には、記録媒体Ｐに対してフルカラー記録を行うべく、ブラック（Ｋ）、シアン（Ｃ）、マゼンタ（Ｍ）およびイエロー（Ｙ）のインクを吐出するための記録ヘッド２２Ｋ、２２Ｃ、２２Ｍおよび２２Ｙが搭載されている。なお、以下の説明においては、色調を特定しない場合には、記録ヘッドを符号２２で総括的に参照する。記録ヘッド２２としては、インクを吐出するために利用されるエネルギとしてインクに膜沸騰を生じさせる熱エネルギを発生する素子を有したものとすることができる。あるいは、その他の素子、例えば電圧の印加に応じて変形ないし変位することでノズル内容積を変化させることでインクを吐出するピエゾ素子を有したものとすることもできる。
【００１４】
本実施形態において、記録ヘッド２２は、記録媒体Ｐの幅方向（媒体搬送方向Ａに直交する方向）に所定密度で所定範囲にわたって配列されたノズルを有する所謂ラインヘッド形態のものである。所定範囲とは、プリンタ１０で印刷可能な記録媒体上の最大の有効記録幅（紙面に直交する方向の長さ）よりもやや長いものとする。なお、記録ヘッドの個数や、色調（色、濃度）の種類および吐出する液体の種類などはあくまでも例示であることは言うまでもない。
【００１５】
記録ヘッド２２は、記録ヘッド２２は不図示の保持部により保持されるとともに、その保持部とともに鉛直方向（Ｂ方向）に昇降可能である。また、各記録ヘッド２２に対応するキャップ５０を有した回復ユニット４０は水平方向（Ａ方向およびＡ方向とは逆方向）に移動可能に保持されている。
【００１６】
保管状態もしくは印刷待機中など非印刷時には、吐出口が形成された記録ヘッド２２の面（吐出面）２２Ｓにキャップ５０を施した状態とする。非印刷時に記録ヘッドの吐出面が大気に曝されていると、吐出口付近のインクの溶剤が蒸発してインクの増粘・固化が生じたり、塵埃が付着したりして吐出不良が生じる恐れがあるからである。また、インクを吐出する記録ヘッドはその特性上、インク吐出状態を安定した状態に維持または回復させるための回復処理を行うことが望ましく、キャッピング状態は回復ユニット４０によるそのような回復処理を可能とする状態でもある。本実施形態の回復処理には、キャッピング状態においてキャップ内空間ないしはノズルに負圧を付与することで、インクを吐出口から吸引する吸引回復動作が含まれる。また、印刷前にキャップに向けて記録ヘッドに予備的な吐出動作を行わせる予備吐出動作を含むことができる。さらに、ゴム等の弾性部材でなるワイパーブレードで記録ヘッドの吐出面をワイピングすることでクリーニングする動作も含むことができる。回復ユニット４０は、これらの動作が行われるようにするための部品を有している。
【００１７】
キャッピング状態から印刷動作に移行する場合には、保持部ないし記録ヘッド２２を一旦上昇させてから回復ユニット４０を図１の左方に退避させ、さらに回復ユニット４０のキャップ５０間に設けた開口に各記録ヘッド２２が対向するようにする。そして保持部ないし記録ヘッド２２を下降させ、キャップ間の開口から記録ヘッド２２を下方に突出させ、記録媒体Ｐと所定の間隙をもって対向する位置に設定する。そして、その位置で記録ヘッド２２を固定させ、記録媒体ＰをＡ方向に搬送し、その過程で記録ヘッド２２にインク吐出動作を行わせることで、画像を印刷する動作が実行される。なお、印刷動作が終了し、非印刷時の状態に設定する場合は、逆の動作を行えばよい。
【００１８】
ロール紙形態の記録媒体Ｐは供給ユニット２４から供給され、プリンタ１０に組み込まれた搬送機構２６によって矢印Ａ方向に搬送される。搬送機構２６は、記録媒体Ｐを載置して搬送する搬送ベルト２６ａ、この搬送ベルト２６ａを回転させる搬送モータ２２１、搬送ベルト２６ａに張力を与えるローラ２６ｃなどから構成されている。なお、記録媒体Ｐとしては、ロール紙の形態に限られることなく、カット紙やファンフォールド紙等の形態のものであってもよいことは勿論である。
【００１９】
図１の構成において、記録媒体Ｐに画像を形成する際には、搬送中の記録媒体Ｐの記録開始位置がＫ用の記録ヘッド２２Ｋの下に到達した後に、印刷データ（画像データ）に基づいて記録ヘッド２２Ｋの吐出口からＫインクを選択的に吐出する。同様に、記録ヘッド２２Ｃ、記録ヘッド２２Ｍ、記録ヘッド２２Ｙの順に、各色のインクを吐出してカラー画像を記録媒体Ｐに形成する。
【００２０】
プリンタ１０には、以上の各部の他、記録ヘッド２２Ｋ、２２Ｃ、２２Ｍおよび２２Ｙにそれぞれ供給される各色のインクを貯留するインクタンク２８Ｋ、２８Ｃ、２８Ｍおよび２８Ｙ（以下、特定しない場合には、符号２８で総括的に参照する）。また、インクを吐出口からキャップ内に強制排出させたりするためのポンプ機構なども配置される。
【００２１】
（制御系の構成）
図２は、図１のインクジェット記録装置の制御系の構成例を示すブロック図である。ホスト装置２０１から送信された記録データやコマンドはインターフェイスコントローラ２０２を介してＣＰＵ２００に受信される。ＣＰＵ２００は、プリンタ１０の記録データの受信、記録動作、記録媒体Ｐのハンドリング等全般の制御を掌る演算処理装置である。ＣＰＵ２００では、受信したコマンドを解析した後に、印刷データの成分のイメージデータをイメージメモリ２０６にビットマップ展開し、さらにラスタ分割して各記録ヘッドで記録するデータを割り当てる。
【００２２】
印刷前の処理動作としては、ＣＰＵ２００が出力ポート２１４およびモータ制御部２１６を介して、キャッピングモータ２２２とヘッドアップダウンモータ２２０とを駆動させ、記録ヘッド２２をキャップ５０から離して記録位置に移動させる動作がある。続いて、ＣＰＵ２００は、出力ポート２１４およびモータ制御部２１６を介してロールモータ（不図示）を駆動させるとともに、搬送モータ２２１等を駆動させる。なお、キャッピングモータ２２２は回復ユニット４０を水平方向に移動させるための駆動源をなし、ヘッドアップダウンモータ２２０は記録ヘッド２２を昇降させるための駆動源をなすものである。また、ロールモータは記録媒体Ｐを供給するための駆動源をなし、搬送モータ２２１は記録ヘッド２２による記録位置に対して記録媒体Ｐを搬送するための駆動源をなすものである。
【００２３】
一定速度で搬送される記録媒体Ｐにインクを吐出し始めるタイミングを決定するため、先端検知センサで記録媒体Ｐの先端位置を検出する。その後、記録媒体Ｐの搬送に同期して、ＣＰＵ２００はイメージメモリ２０６から対応する記録ヘッド２２に送出するデータを順次に読み出し、記録ヘッド制御回路２１２介して、当該読み出したデータを各記録ヘッド２２に転送し、印刷を行わせる。
【００２４】
各記録ヘッド２２に対しては、高速記録に対応するためにインクを強制的に送り込むための供給ポンプ２２３Ｆ（図３）が接続され、その駆動源をなす供給ポンプモータ２２３はＣＰＵ２００により出力ポート２１４およびモータ制御部２１６を介して制御される。また、ノズルに安定した負圧を作用させる目的等で、記録ヘッド２２内の負圧を動的に制御する機構（動的負圧制御機構）を構成する負圧ファン２２５が設けられる。この負圧ファン２２５もＣＰＵ２００により出力ポート２１４およびモータ制御部２１６を介して制御される。記録ヘッド２２の吐出回復処理には、記録ヘッド２２を回復ユニット４０のキャップ５０によってキャッピングした状態で行う吸引回復動作が含まれる。この場合、出力ポート２１４およびモータ制御部２１６を介し、回復ユニット４０を構成する回復ポンプ２２４Ｐ（図３）を駆動するための駆動源をなす回復ポンプモータ２２４が駆動される。
【００２５】
さらに、図３について後述するインク系の各部には流路切り替えバルブ２２６、回復バルブ２２７および負圧バルブ２２８が設けられ、これらはＣＰＵ２００により出力ポート２１４およびバルブ制御部２１７を介して制御される。さらに、プリンタ１０には、記録ヘッド２２内の圧力（負圧）を検出するために圧力センサ２２９が設けられ、当該検出値（アナログ値）はＡ／Ｄ変換器２１８によりデジタル信号に変換された後、入力ポート２１５を介してＣＰＵ２００に送信される。
【００２６】
ＣＰＵ２００は、プログラムＲＯＭ２０４に記憶された処理プログラムに基づいて上述の各部を制御する。プログラムＲＯＭ２０４には、図４について後述する処理手順等に対応した処理プログラムや、所要の固定データを格納するテーブルなどが記憶されている。また、ワークＲＡＭ２０８は、ＣＰＵ２００による処理の過程で作業用のメモリとして使用される。操作パネル２１０は、電源スイッチのほか、ユーザによる記録モード（記録品位や記録速度など）の随時の設定、変更およびその他印刷動作を行うにあたっての指示受付のためキーを有する。また、操作パネル２１０には、プリンタの状態やエラーなどの情報を報知ないし表示するための手段が設けられていてもよい。
【００２７】
（インク系の構成）
図３は、本実施形態のインクジェット記録装置における各色インク系の構成を説明するための模式図である。各色の記録ヘッド２２にはインク供給口３０４が設けられ、各色のインクタンク２８とチューブ３２１および３２３を介して接続されている。チューブ３２１には記録ヘッド２２内にインクを強制的に供給するためのインク供給部を構成する供給ポンプが介挿される一方、チューブ３２３には開閉バルブ形態の流路切り替えバルブ２２６が介挿されている。また、記録ヘッド２２には排気口３１４が設けられ、負圧バルブ２２８および負圧バッファユニット３１０を介して、記録ヘッド２２の内部をノズルに形成されるインクのメニスカスの保持力と平衡する負圧状態とするための負圧ファン２０５と連通している。なお、インク供給口３０４および排気口３１４には、それぞれ、記録ヘッド２２内への塵埃等の侵入を防止するフィルタ３０４Ｆおよび３１４Ｆが配置されている。
【００２８】
記録ヘッド２２内部のインクの液面すなわちインク量は、導通板３０１と導通板３０２との間、および導通板３０２と導通板３０３との間の導電率の変化を検知することで行うことができる。すなわち、インク液面の下限の位置は、導通板３０２と導通板３０３との間にインクが存在しなくなると電気抵抗値が増大することで検知され、インク供給動作が行われる。一方、インク液面の上限位置は、インク供給に伴ってインク導通板３０１と導通板３０２との間にインクが存在するようになると電気抵抗値が低下することで検知され、インク供給が停止される。なお、インク供給動作は、チューブ３２３に介挿された流路切り替えバルブ２２６を閉状態とし、供給ポンプ２２３Ｐを作動させることで行うことができる。また、本実施形態では、チューブ３２１および３２３を介して記録ヘッド２２とインクタンク２８とを接続することで、両者間でのインクの循環系も構成される。すなわち、流路切り替えバルブ２２６を開状態とし、供給ポンプ２２３Ｐを作動させることで、記録ヘッド２２にインクを供給するとともに記録ヘッド２２内のインクをインクタンク２８に還流させ、これに伴って記録ヘッド２２内にある気泡等を除去することができる。
【００２９】
自然供給方式とは異なり、本実施形態においては、記録ヘッド２２の内部のインク量が減少した際には、供給ポンプ２２３により強制的にインクタンク２８から記録ヘッド２２へとインクを送り込み、高速記録に伴うインクの高速供給に対応するものである。また、強制供給に伴って供給されるインク量に応じて記録ヘッド２２内部の圧力が上昇し、ノズルからのインクが漏出することを防止し、インク量によらず記録ヘッド２２内部を安定した負圧状態とするために、動的負圧制御機構が設けられている。
【００３０】
本実施形態の動的負圧制御機構は、概して、負圧ファン２２５、負圧バッファユニット３１０、圧力センサ２２９および負圧バルブ２２８から構成されている。これらの動作は図４について後述するが、電源投入前、または印刷動作を行っていないとき、負圧バルブ２２８は負圧ファン２２５の吸引口と記録ヘッド２２の排気口とを接続する接続路とを閉鎖する閉状態にある。従って、記録ヘッド２２は大気に対して密閉された状態となるので、記録ヘッド２２の内部の液室に貯留されたインクがノズルから漏洩ないし装置内部に滴下する不都合が防止される。印刷ジョブの受付けた場合には、印刷動作開始時に負圧ファン２２５を回転させ始める。そして、圧力センサ２２９の出力値により所定の圧力になったことを確認した後、負圧バルブ２２８を動作させて負圧ファン２２５の吸引口と記録ヘッド２２の排気口３１４とを連通させ、記録ヘッド２２の内部の液室を減圧状態として安定した負圧を作用させる。また、印刷終了後には、負圧バルブ２２８を閉状態とし、記録ヘッド２２と負圧ファン２２５の吸引口との連通を遮断し、記録ヘッド２２内部を密閉状態にしてから、負圧ファン２２５を停止させる。
【００３１】
なお、図３において、キャップ５０、回復バルブ２２７、バッファタンク３１１、回復ポンプ２２４Ｐおよび廃インクタンク３１２は吸引回復動作を行う回復ユニット４０を構成する部材である。吸引回復動作にあたっては、ノズルが設けられた記録ヘッド２２の面（吐出面）に対してキャップ５０を接合させ、回復バルブ２２７を閉状態として回復ポンプ２２４Ｐを駆動することによりバッファタンク３１１内を所定の負圧状態とする。そして、回復バルブ２２７を開放してバッファタンク３１１内の負圧を吐出面に作用させることで、ノズル空吸引されたインクはバッファタンク３１１ひいては回復ポンプ２２４Ｐを介して廃インクタンク３１２に導かれる。かかる構成によれば、バッファタンク３１１内の負圧ないしは吸引力を瞬時に吐出面に作用させることができることから、廃インク量を削減することが可能となる。
【００３２】
（印刷時の制御手順）
図４は本実施形態に係るインクジェット記録装置の印刷時における制御手順を示すフローチャートである。本手順は、ホスト装置２０１からの印刷ジョブを受け付けることで開始され、まずステップＳ１においてＣＰＵ２００は負圧ファン２２５の駆動を開始する。そして、負圧ファン２２５の回転が定常状態となるのに十分な時間が経過した後、ＣＰＵ２００は負圧バッファユニット３１０に取り付けられた圧力センサ２２９の検出値に基づいて所定の圧力が得られているか否かを判定する（ステップＳ２）。ここで否定判定された場合にはステップＳ３に進み、ＣＰＵ２００は負圧ファン２２５の回転数を調整し、所定の圧力が得られるようにする。所定の圧力が得られていると判断された場合にはステップＳ４に進み、ＣＰＵ２００は負圧バルブ２２８を開放し、記録ヘッド２２と負圧ファン２２５とを連通させる。これにより、記録ヘッド２２内部が減圧状態となり、インクがノズルから漏洩ないし滴下しない状態となる。
【００３３】
その状態において、ＣＰＵ２００は印刷ジョブに含まれる画像データに応じて記録ヘッド２２を駆動し、画像の印刷を行わせる（ステップＳ５）。次に、ステップＳ６において、ＣＰＵ２００は受け付けた印刷ジョブがすべて終了したかを判定し、否定判定された場合にはステップＳ５に復帰して印刷動作を継続する。一方、肯定判定された場合にはステップＳ７に進み、ＣＰＵ２００は負圧バルブ２２８を閉鎖し、記録ヘッド２２の内部を密閉状態とする。その後ステップＳ８において、ＣＰＵ２００は負圧ファン２２５の回転を停止させ、一連の印刷ジョブの処理を終了する。
【００３４】
以上のように、負圧バルブ２２８は印刷動作の開始前に開状態とされる一方、印刷動作の終了後には閉状態となるものである。しかし負圧バルブ２２８で使用されているアクチュエータの構造や制御方法によっては、印刷動作中（ステップＳ５，Ｓ６）に停電や電源ケーブルの抜け等が生じて突然電源が遮断された場合、ノズルからのインクの漏洩ないし滴下が生じる可能性がある。すなわち、電源の遮断によって負圧ファン２２５の動作が止まる一方、負圧バルブ２２８が閉状態とならない、または閉状態となるのに時間を要する構成であると、記録ヘッド２２内部の液室には負圧が付与されない状態（大気開放状態）となるからである。また、予備吐出動作あるいは吸引回復動作の前後においてキャップ５０が吐出面に対向あるいは接合していない状態で電源の遮断が生じた場合にも同様の問題が生じ得る。
【００３５】
従って、電源遮断時には負圧バルブ２２８を先ず閉状態とし、負圧ファン２２５と排気口３１４との接続路を閉鎖することが必須となる。そこで、本実施形態では、負圧バルブ２２８に使用するアクチュエータとして、非通電時には閉状態となるものを使用するか、または閉状態となるように周辺機構を配置する。これにより、突然の電源遮断時に負圧ファン２２５が停止するよりも先に負圧バルブ２２８が閉状態となって負圧ファン２２５と排気口３１４との接続路が閉鎖され、ノズルからのインクの漏洩ないしはプリンタ１０の内部へのインク滴下を防止することができる。そのような動作を実現するための負圧バルブ２２８としては、例えば電源遮断と同時に励磁がオフとなって閉鎖状態となる電磁弁や電磁クラッチなどを用いることができる。また、弁体と、駆動に応じこれを接続路の開放方向に付勢するモータと、モータの非駆動時に弁体を接続路の閉鎖方向に速やかに復帰させる付勢力を発生する復帰ばねを有する機構が用いられてもよい。すなわち、非通電時に記録ヘッド２２の内部と負圧ファンの吸引口との連通路を閉塞すべく作動可能な機構であればいかなるものが用いられてもよい。
【００３６】
なお、負圧ファン２２５および負圧バルブ２２８の電源系統を分けるとともに、負圧ファン２２５側の電源遮断を検知する機構と、当該検知時に負圧バルブ２２８の電源遮断を行う機構とを設けることも考えられる。しかし負圧ファン２２５の電源遮断時に迅速に負圧バルブ２２８が閉鎖されるようにするとともに、電源遮断時にのみ使用するフェイルセーフ用の補助電源を不要として構造を簡単化する上では、両者の電源系統を共通のものとすることが好ましい。
【００３７】
また、図３においては１つの記録ヘッド２２に対して動的負圧制御機構が設けられているように示されている。しかし、図１のように複数の記録ヘッドを用いるインクジェット記録装置においては、２以上の記録ヘッドに対して共通した動的負圧制御機構を設けるようにしてもよい。
【符号の説明】
【００３８】
２２、２２Ｋ、２２Ｃ、２２Ｍ、２２Ｙ  記録ヘッド
２２３  供給ポンプモータ
２２３Ｐ  供給ポンプ
２２５  負圧ファン
２２８  負圧バルブ
２２９  圧力センサ
３１０  負圧バッファユニット
３１３  インクタンク
【図１】
2013086353.tif 000003
【図２】
2013086353.tif 000004
【図３】
2013086353.tif 000005
【図４】
2013086353.tif 000006